【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
表示状態が変化可能な可変表示装置と、
音を発生可能な音発生手段と、
所定の発光動作が可能な発光手段とを備え、
前記可変表示装置の表示結果が特定の表示態様となったときに遊技者にとって有利な特定遊技状態に制御可能となるとともに、前記特定の表示態様が所定の確変識別情報により構成されるものであるときには、当該特定の表示態様に基づく特定遊技状態の終了後に、通常遊技状態に比べて前記特定遊技状態が発生する確率が高く変動した確率変動状態に制御する遊技機であって、
前記可変表示装置の表示結果を導出表示させるための可変表示動作を行なわせる可変表示制御手段と、
前記可変表示装置の表示結果が特定の表示態様となるときと特定の表示態様とならないときとで異なる選択確率で複数種類の発音演出パターンの中から発音演出パターンを選択する発音演出パターン選択手段と、
前記可変表示動作期間中の所定の期間中において、前記発音演出パターン選択手段により選択された前記発音演出パターンを前記音発生手段から発生させることが可能な発音演出制御手段と、
前記可変表示装置の表示結果が特定の表示態様となるときと特定の表示態様とならないときとで異なる選択確率で複数種類の発光演出パターンの中から発光演出パターンを選択する発光演出パターン選択手段と、
前記所定の期間中において、前記発光演出パターン選択手段により選択された発光演出パターンを前記発光手段に発光動作させることが可能な発光演出制御手段と、
前記可変表示装置の表示結果を前記特定の表示態様とするか否かを決定するためのランダムカウンタと、
前記ランダムカウンタの値により、前記可変表示装置の表示結果を前記特定の表示態様とすることが決定されたときに、前記可変表示装置の表示結果を構成する識別情報を前記確変識別情報とするか否かを決定するための確変決定ランダムカウンタと、
前記ランダムカウンタの値により、前記可変表示装置の表示結果を前記特定の表示態様とすることが決定されたときに、表示結果として表示される前記識別情報を決定するための識別情報決定ランダムカウンタと、
前記可変表示装置が可変開始した後、前記識別情報がそろった状態で前記識別情報の変動表示が一旦停止し、その後再変動して前記識別情報決定ランダムカウンタにより決定された識別情報を表示する再変動パターンを含む、前記可変表示装置が可変開始した後表示結果が導出表示されるまでの可変表示動作の変動パターンのうちから当該可変表示動作に用いる変動パターンを決定するための変動パターン決定ランダムカウンタとを備え、
前記発音演出パターン選択手段および前記発光演出パターン選択手段は、前記ランダムカウンタの値に基づき前記可変表示装置の表示結果が特定の表示態様となることが決定されたときであって、前記変動パターン決定ランダムカウンタの値に基づき決定された変動パターンが前記再変動パターンであるとき、前記識別情報が前記確変決定ランダムカウンタの値に基づき前記確変識別情報とされるときと前記確変識別情報とされないときとで異なる選択確率で複数種類の発音演出パターンおよび発光演出パターンの中から、前記識別情報の変動表示が一旦停止した後再変動して前記識別情報決定ランダムカウンタにより決定された前記識別情報を表示するまでに用いられる発音演出パターンおよび発光演出パターンを選択する、遊技機。
【請求項２】
前記可変表示制御手段は、前記可変表示装置により、可変表示装置が可変開始された後表示制御が進行して表示結果が導出表示される前段階にまで達した時点でも、前記特定の表示態様となる表示条件から外れていない表示態様であるリーチ状態が成立したときに所定のリーチ演出動作表示を行なわせ、
前記所定の期間は、前記可変表示動作期間中における前記リーチ演出動作表示が行なわれている期間に含まれることを特徴とする、請求項１に記載の遊技機。
【請求項３】
前記可変表示装置は、複数の識別情報が表面に形成された回転部材を複数含み、
前記複数の回転部材は、透光性のある部材で構成され、
前記発光手段は、前記複数の回転部材それぞれの内側に設けられることを特徴とする、請求項１または２に記載の遊技機。
【請求項４】
前記発光手段は、前記回転部材が回転を停止したときに遊技機の前面側に臨む図柄の数よりも多い数の発光体を前記回転部材の回転方向に沿って配列することにより構成されていることを特徴とする、請求項３に記載の遊技機。
【請求項５】
前記発光手段は、発光する光の色彩が異なる複数の発光体を含むことを特徴とする、請求項３または４に記載の遊技機。
【手続補正２】
【補正対象書類名】明細書
【補正対象項目名】０００６
【補正方法】変更
【補正の内容】
【０００６】
【課題を解決するための手段】
上述の目的を解決するために請求項１に記載の本発明は、表示状態が変化可能な可変表示装置と、
音を発生可能な音発生手段と、
所定の発光動作が可能な発光手段とを備え、
前記可変表示装置の表示結果が特定の表示態様となったときに遊技者にとって有利な特定遊技状態に制御可能となるとともに、前記特定の表示態様が所定の確変識別情報により構成されるものであるときには、当該特定の表示態様に基づく特定遊技状態の終了後に、通常遊技状態に比べて前記特定遊技状態が発生する確率が高く変動した確率変動状態に制御する遊技機であって、
前記可変表示装置の表示結果を導出表示させるための可変表示動作を行なわせる可変表示制御手段と、
前記可変表示装置の表示結果が特定の表示態様となるときと特定の表示態様とならないときとで異なる選択確率で複数種類の発音演出パターンの中から発音演出パターンを選択する発音演出パターン選択手段と、
前記可変表示動作期間中の所定の期間中において、前記発音演出パターン選択手段により選択された前記発音演出パターンを前記音発生手段から発生させることが可能な発音演出制御手段と、
前記可変表示装置の表示結果が特定の表示態様となるときと特定の表示態様とならないときとで異なる選択確率で複数種類の発光演出パターンの中から発光演出パターンを選択する発光演出パターン選択手段と、
前記所定の期間中において、前記発光演出パターン選択手段により選択された発光演出パターンを前記発光手段に発光動作させることが可能な発光演出制御手段と、
前記可変表示装置の表示結果を前記特定の表示態様とするか否かを決定するためのランダムカウンタと、
前記ランダムカウンタの値により、前記可変表示装置の表示結果を前記特定の表示態様とすることが決定されたときに、前記可変表示装置の表示結果を構成する識別情報を前記確変識別情報とするか否かを決定するための確変決定ランダムカウンタと、 
前記ランダムカウンタの値により、前記可変表示装置の表示結果を前記特定の表示態様とすることが決定されたときに、表示結果として表示される前記識別情報を決定するための識別情報決定ランダムカウンタと、
前記可変表示装置が可変開始した後、前記識別情報がそろった状態で前記識別情報の変動表示が一旦停止し、その後再変動して前記識別情報決定ランダムカウンタにより決定された識別情報を表示する再変動パターンを含む、前記可変表示装置が可変開始した後表示結果が導出表示されるまでの可変表示動作の変動パターンのうちから当該可変表示動作に用いる変動パターンを決定するための変動パターン決定ランダムカウンタとを備え、
前記発音演出パターン選択手段および前記発光演出パターン選択手段は、前記ランダムカウンタの値に基づき前記可変表示装置の表示結果が特定の表示態様となることが決定されたときであって、前記変動パターン決定ランダムカウンタの値に基づき決定された変動パターンが前記再変動パターンであるとき、前記識別情報が前記確変決定ランダムカウンタの値に基づき前記確変識別情報とされるときと前記確変識別情報とされないときとで異なる選択確率で複数種類の発音演出パターンおよび発光演出パターンの中から、前記識別情報の変動表示が一旦停止した後再変動して前記識別情報決定ランダムカウンタにより決定された前記識別情報を表示するまでに用いられる発音演出パターンおよび発光演出パターンを選択する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載の本発明は請求項１に記載の発明の構成に加えて、前記可変表示制御手段は、前記可変表示装置により、可変表示装置が可変開始された後表示制御が進行して表示結果が導出表示される前段階にまで達した時点でも、前記特定の表示態様となる表示条件から外れていない表示態様であるリーチ状態が成立したときに所定のリーチ演出動作表示を行なわせ、
前記所定の期間は、前記可変表示動作期間中における前記リーチ演出動作表示が行なわれている期間に含まれることを特徴とする。
【手続補正５】
【補正対象書類名】明細書
【補正対象項目名】０００９
【補正方法】変更
【補正の内容】
【０００９】
請求項３に記載の本発明は請求項１または２に記載の発明の構成に加えて、前記可変表示装置は、複数の識別情報が表面に形成された回転部材を複数含み、
前記複数の回転部材は、透光性のある部材で構成され、
前記発光手段は、前記複数の回転部材それぞれの内側に設けられることを特徴とする。
【手続補正６】
【補正対象書類名】明細書
【補正対象項目名】００１０
【補正方法】変更
【補正の内容】
【００１０】
請求項４に記載の本発明は請求項３に記載の発明の構成に加えて、前記発光手段は、前記回転部材が回転を停止したときに遊技機の前面側に臨む図柄の数よりも多い数の発光体を前記回転部材の回転方向に沿って配列することにより構成されていることを特徴とする。
【手続補正７】
【補正対象書類名】明細書
【補正対象項目名】００１１
【補正方法】変更
【補正の内容】
【００１１】
請求項５に記載の本発明は請求項３または４に記載の発明の構成に加えて、前記発光手段は、発光する光の色彩が異なる複数の発光体を含むことを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
【作用】
請求項１に記載の本発明は、次のように作用する。可変表示装置の働きにより、表示状態が変化可能である。音発生手段の働きにより、音を発生可能である。発光手段の働きにより、所定の発光動作が可能である。遊技機は、可変表示装置の表示結果が特定の表示態様となったときに遊技者にとって有利な特定遊技状態に制御可能となるとともに、特定の表示態様が所定の確変識別情報により構成されるものであるときには、当該特定の表示態様に基づく特定遊技状態の終了後に、通常遊技状態に比べて特定遊技状態が発生する確率が高く変動した確率変動状態に制御する。
【手続補正１３】
【補正対象書類名】明細書
【補正対象項目名】００１７
【補正方法】変更
【補正の内容】
【００１７】
可変表示制御手段の働きにより、可変表示装置の表示結果を導出表示させるための可変表示動作を行なわせる。発音演出パターン選択手段の働きにより、可変表示装置の表示結果が特定の表示態様となるときと特定の表示態様とならないときとで異なる選択確率で複数種類の発音演出パターンの中から発音演出パターンを選択する。発音演出制御手段の働きにより、可変表示動作期間中の所定の期間中において、発音演出パターン選択手段により選択された発音演出パターンを音発生手段から発生させることが可能である。
【手続補正１４】
【補正対象書類名】明細書
【補正対象項目名】００１８
【補正方法】変更
【補正の内容】
【００１８】
発光演出パターン選択手段の働きにより、可変表示装置の表示結果が特定の表示態様となるときと特定の表示態様とならないときとで異なる選択確率で複数種類の発光演出パターンの中から発光演出パターンを選択する。発光演出制御手段の働きにより、所定の期間中において、発光演出パターン選択手段により選択された発光演出パターンを発光手段に発光動作させることが可能となる。
【手続補正１５】
【補正対象書類名】明細書
【補正対象項目名】００１９
【補正方法】変更
【補正の内容】
【００１９】
ランダムカウンタの働きにより、可変表示装置の表示結果を特定の表示態様とするか否かを決定する。確変決定ランダムカウンタの働きにより、ランダムカウンタの値により、可変表示装置の表示結果を特定の表示態様とすることが決定されたときに、可変表示装置の表示結果を構成する識別情報を確変識別情報とするか否かを決定する。識別情報決定ランダムカウンタの働きにより、ランダムカウンタの値により、可変表示装置の表示結果を特定の表示態様とすることが決定されたときに、表示結果として表示される識別情報を決定する。変動パターン決定ランダムカウンタの働きにより、可変表示装置が可変開始した後、識別情報がそろった状態で識別情報の変動表示が一旦停止し、その後再変動して識別情報決定ランダムカウンタにより決定された識別情報を表示する再変動パターンを含む、可変表示装置が可変開始した後表示結果が導出表示されるまでの可変表示動作の変動パターンのうちから当該可変表示動作に用いる変動パターンを決定する。発音演出パターン選択手段および発光演出パターン選択手段は、ランダムカウンタの値に基づき可変表示装置の表示結果が特定の表示態様となることが決定されたときであって、変動パターン決定ランダムカウンタの値に基づき決定された変動パターンが再変動パターンであるとき、識別情報が確変決定ランダムカウンタの値に基づき確変識別情報とされるときと確変識別情報とされないときとで異なる選択確率で複数種類の発音演出パターンおよび発光演出パターンの中から、識別情報の変動表示が一旦停止した後再変動して識別情報決定ランダムカウンタにより決定された識別情報を表示するまでに用いられる発音演出パターンおよび発光演出パターンを選択する。
【手続補正１６】
【補正対象書類名】明細書
【補正対象項目名】００２０
【補正方法】変更
【補正の内容】
【００２０】
請求項２に記載の本発明は、請求項１に記載の発明の作用に加えて次のように作用する。可変表示制御手段の働きにより、可変表示装置により、可変表示装置が可変開始された後表示制御が進行して表示結果が導出表示される前段階にまで達した時点でも、特定の表示態様となる表示条件から外れていない表示態様であるリーチ状態が成立したときに所定のリーチ演出動作表示を行なわせる。所定の期間は、可変表示動作期間中におけるリーチ演出動作表示が行なわれている期間に含まれる。
【手続補正１７】
【補正対象書類名】明細書
【補正対象項目名】００２１
【補正方法】変更
【補正の内容】
【００２１】
請求項３に記載の本発明は、請求項１または２に記載の発明の作用に加えて次のように作用する。可変表示装置は、複数の識別情報が表面に形成された回転部材を複数含む。複数の回転部材は、透光性のある部材で構成される。発光手段は、複数の回転部材それぞれの内側に設けられる。
【手続補正１８】
【補正対象書類名】明細書
【補正対象項目名】００２２
【補正方法】変更
【補正の内容】
【００２２】
請求項４に記載の本発明は、請求項３に記載の発明の作用に加えて次のように作用する。発光手段は、回転部材が回転を停止したときに遊技機の前面側に臨む図柄の数よりも多い数の発光体を回転部材の回転方向に沿って配列することにより構成される。
【手続補正１９】
【補正対象書類名】明細書
【補正対象項目名】００２３
【補正方法】変更
【補正の内容】
【００２３】
請求項５に記載の本発明は、請求項３または４に記載の発明の作用に加えて次のように作用する。発光手段は、発光する光の色彩が異なる複数の発光体を含む。
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】０１６４
【補正方法】変更
【補正の内容】
【０１６４】
また、発音演出パターン選択手段および発光演出パターン選択手段の働きにより、ランダムカウンタの値に基づき可変表示装置の表示結果が特定の表示態様となることが決定されたときであって、変動パターン決定ランダムカウンタの値に基づき決定された変動パターンが再変動パターンであるとき、識別情報が確変決定ランダムカウンタの値に基づき確変識別情報とされるときと確変識別情報とされないときとで異なる選択確率で複数種類の発音演出パターンおよび発光演出パターンの中から、識別情報の変動表示が一旦停止した後再変動して識別情報決定ランダムカウンタにより決定された識別情報を表示するまでに用いられる発音演出パターンおよび発光演出パターンが選択される。
【手続補正２５】
【補正対象書類名】明細書
【補正対象項目名】０１６５
【補正方法】削除
【補正の内容】
【手続補正２６】
【補正対象書類名】明細書
【補正対象項目名】０１６６
【補正方法】変更
【補正の内容】
【０１６６】
請求項２に記載の本発明は、請求項１に記載の発明の効果に加えて次のような効果を得ることができる。可変表示制御手段は、可変表示装置によりリーチ状態が成立したときに所定のリーチ演出動作表示を行なわせ、前記可変表示動作期間中における前記リーチ演出動作表示が行なわれている期間に、発音演出制御手段が、発音演出パターン選択手段により選択された発音演出パターンを音発生手段から発生させることが可能であり、発光演出制御手段が、発光演出パターン選択手段により選択された発光演出パターンを発光手段に発光動作させることが可能であるので、リーチ演出表示期間にリーチ演出動作表示とは別に、発音演出パターンと発光演出パターンとの組合せによる音と光の多様な演出を行なうことが可能な遊技機を提供することができる。
【手続補正２７】
【補正対象書類名】明細書
【補正対象項目名】０１６７
【補正方法】変更
【補正の内容】
【０１６７】
請求項３に記載の本発明は、請求項１または２に記載の発明の効果に加えて次のような効果を得ることができる。可変表示装置は、複数の識別情報が表面に形成された回転部材を複数含み、前記複数の回転部材は、透光性のある部材で構成され、発光手段は複数の回転部材それぞれの内側に設けられるので、識別情報を裏面から照射することができる。この結果、可変表示装置内における光による演出が可能となるとともに、停止する可能性のある識別情報を遊技者に見やすく強調することができる。
【手続補正２８】
【補正対象書類名】明細書
【補正対象項目名】０１６８
【補正方法】変更
【補正の内容】
【０１６８】
請求項４に記載の本発明は、請求項３に記載の発明の効果に加えて次のような効果を得ることができる。発光手段は、回転部材が回転を停止したときに遊技機の前面側に臨む図柄の数よりも多い数の発光体を回転部材の回転方向に沿って配列することにより構成されているので、可変表示される識別情報に追随して光を照射することができるとともに、光による演出のバリエーションを増やすことができる。
【手続補正２９】
【補正対象書類名】明細書
【補正対象項目名】０１６９
【補正方法】変更
【補正の内容】
【０１６９】
請求項５に記載の本発明は、請求項３または４に記載の発明の効果に加えて次のような効果を得ることができる。発光手段は、発光する光の色彩が異なる複数の発光体を含むので、光の演出に色彩の変化を加えることができ、発光演出パターンのバリエーションを増やすことができる。
【手続補正３０】
【補正対象書類名】明細書
【補正対象項目名】０１７０
【補正方法】削除
【補正の内容】
【手続補正３１】
【補正対象書類名】明細書
【補正対象項目名】０１７１
【補正方法】削除
【補正の内容】
【手続補正３２】
【補正対象書類名】明細書
【補正対象項目名】０１７２
【補正方法】削除
【補正の内容】
【手続補正３３】
【補正対象書類名】明細書
【補正対象項目名】０１７３
【補正方法】削除
【補正の内容】